(57)【特許請求の範囲】
【請求項１】
レンズ鏡筒に設けられたタッチ状態を検出するタッチ検出部と、
カメラ本体に設けられ、複数の機能を示す機能アイコンと、タッチ検出部を示す操作部アイコンを表示する表示部と、
上記機能アイコンと上記操作部アイコンが上記表示部に表示された際に、上記タッチ検出部によって、上記機能アイコンと上記操作部アイコンがタッチ操作によって結びつけられたことを検出した場合に、上記タッチ検出部と上記機能アイコンを関連付ける関連付け部と、
を有すること特徴とする撮影システム。
【請求項２】
上記関連付け部によって関連付けがなされると、上記タッチ検出部の検出出力に基づいて、上記関連付けられた機能の制御を行うことを特徴とする請求項１に記載の撮影システム。
【請求項３】
上記関連付けられた機能が上記カメラ本体側の機能である場合には、上記タッチ検出部による検出結果に基づくパラメータの数値を算出し、上記カメラ本体に送信することを特徴とする請求項２に記載の撮影システム。
【請求項４】
上記タッチ検出部と関連付けられた機能が、カメラ本体側の機能である場合に、設定された機能に応じてパラメータの数値を算出する算出部と、
上記算出部によって算出された上記パラメータの数値をカメラ本体に送信する通信部と、
を有することを特徴とする請求項１に記載の撮影システム。
【請求項５】
上記算出部は、上記タッチ検出部によって検出されたタッチ状態に応じて、上記数値を更新することを特徴とする請求項４に記載の撮影システム。
【発明の詳細な説明】
【技術分野】
【０００１】
本発明は、レンズ鏡筒に設けた操作部の機能をカスタマイズできるようにした撮影システムに関する。
【背景技術】
【０００２】
撮影レンズを収納する鏡筒に操作リング等を配置し、この操作リングにより、マニュアルフォーカスを行ったり、また制御のためのパラメータを設定したりすることが可能な撮影システムが提案されている。たとえば、特許文献１に開示の画像処理装置においては、ホワイトバランスや明るさ等を調整する調整パラメータの中から撮影シーンに応じたパラメータ設定を、鏡筒に設けた操作リングの回転によって設定することが開示されている。
【先行技術文献】
【特許文献】
【０００３】
【特許文献１】特開２０１１−１１４６６２号公報
【発明の概要】
【発明が解決しようとする課題】
【０００４】
特許文献１に開示の画像処理装置において、鏡筒に設けた操作リングは、単に調整パラメータの設定に割り当てられているだけであり、複数の機能の中からユーザが任意に１つの機能を選択することについては、記載されていない。しかし、鏡筒に設けたタッチパネルの機能を、例えば、ズーミング、マニュアルフォーカス、またはモード設定等、種々の機能の中からユーザが任意に選択し、カスタマイズできると、様々な好みのユーザに対応可能となる。
【０００５】
本発明は、このような事情を鑑みてなされたものであり、鏡筒に設けられたタッチパネルの機能を、任意の機能の中からユーザが任意に選択しカスタマイズできるようにした撮影システムを提供することを目的とする。
【課題を解決するための手段】
【０００８】
第１の発明に係わる撮影システムは、レンズ鏡筒に設けられたタッチ状態を検出するタッチ検出部と、カメラ本体に設けられ、複数の機能を示す機能アイコンと、タッチ検出部を示す操作部アイコンを表示する表示部と、上記機能アイコンと上記操作部アイコンが上記表示部に表示された際に、上記タッチ検出部によって、上記機能アイコンと上記操作部アイコンがタッチ操作によって結びつけられたことを検出した場合に、上記タッチ検出部と上記機能アイコンを関連付ける関連付け部と、を有する。
【０００９】
第２の発明に係わる撮影システムは、上記第１の発明において、上記関連付け部によって関連付けがなされると、上記タッチ検出部の検出出力に基づいて、上記関連付けられた機能の制御を行う。
第３の発明に係わる撮影システムは、上記第２の発明において、上記関連付けられた機能が上記カメラ本体側の機能である場合には、上記タッチ検出部による検出結果に基づくパラメータの数値を算出し、上記カメラ本体に送信する。
【００１０】
第４の発明に係る撮影システムは、上記第１の発明において、上記タッチ検出部と関連付けられた機能が、カメラ本体側の機能である場合に、設定された機能に応じてパラメータの数値を算出する算出部と、上記算出部によって算出された上記パラメータの数値をカメラ本体に送信する通信部と、を有する。
【００１１】
第５の発明に係わる撮影システムは、上記第４の発明において、上記算出部は、上記タッチ検出部によって検出されたタッチ状態に応じて、上記数値を更新する。
【発明の効果】
【００１２】
本発明によれば、鏡筒に設けられたタッチパネルの機能を、任意の機能の中からユーザが任意に選択しカスタマイズできるようにした撮影システムを提供することができる。
【図面の簡単な説明】
【００１３】
【図１】本発明の第１実施形態に係るカメラをユーザの使用状態において側面側からみた図である。
【図２】本発明の第１実施形態に係るカメラの主として電気的構成を示すブロック図である。
【図３】本発明の第１実施形態に係るカメラの本体及びレンズ鏡筒における表示部での表示を示す図である。
【図４】本発明の第１実施形態に係るカメラにおけるボディ側のレンズ通信の動作を示すフローチャートである。
【図５】本発明の第１実施形態に係るカメラにおけるレンズ側のボディ通信の動作を示すフローチャートである。
【図６】本発明の第１実施形態に係るカメラにおけるレンズ側のボディ通信中の数値算出の動作を示すフローチャートである。
【図７】本発明の第１実施形態に係るカメラにおけるレンズ側のボディ通信中の数値算出の動作を示すフローチャートである。
【図８】本発明の第１実施形態に係るカメラにおけるレンズ側での操作とボディ側の表示の関係を示す図である。
【図９】本発明の第２実施形態に係るカメラの主として電気的構成を示すブロック図である。
【図１０】本発明の第２実施形態に係るカメラの本体及びレンズ鏡筒における表示部での表示を示す図である。
【図１１】本発明の第２実施形態に係るカメラにおけるボディ側のカメラ制御の動作を示すフローチャートである。
【図１２】本発明の第２実施形態に係るカメラにおけるボディ側のカメラ制御中の関連付け操作の動作を示すフローチャートである。
【図１３】本発明の第２実施形態に係るカメラにおけるレンズ側の操作部画像通信の動作を示すフローチャートである。
【図１４】本発明の第２実施形態に係るカメラにおけるレンズ側のレンズ操作の動作を示すフローチャートである。
【図１５】本発明の第２実施形態に係るカメラにおいて、レンズ側の表示部の表示パターンと動作の関係を示す図である。
【図１６】本発明の第２実施形態に係わるカメラにおけるレンズ側のレンズ通信の動作を示すフローチャートである。
【図１７】本発明の第２実施形態に係わるカメラにおけるボディ側とレンズ側における信号のやり取りを示す図である。
【図１８】本発明の第２実施形態に係わるカメラにおいて、ボディ側とレンズ側の同期通信の一例を示すタイミングチャートである。
【発明を実施するための形態】
【００１４】
以下、図面に従って本発明を適用したカメラ本体とレンズ鏡筒とから構成されるカメラを用いて好ましい実施形態について説明する。本発明の好ましい実施形態に係わるカメラは、デジタルカメラであり、撮像部を有し、この撮像部によって被写体像を電気信号に変換し、この変換された電気信号に基づく画像データを用いて、被写体像を本体の背面または接眼ファインダ等に配置した表示部にライブビュー表示する。撮影者はライブビュー表示を観察することにより、構図やシャッタチャンスを決定する。レリーズ操作時には、画像データが記録媒体に記録される。記録媒体に記録された画像データは、再生モードを選択すると、表示部に再生表示することができる。
【００１５】
また、レンズ鏡筒には、タッチパネルを備えた表示部が設けられている。この表示部にはズーム、マニュアルフォーカス、露出補正、モード変更等の機能や操作用画像等が表示可能であり、またタッチパネルを操作することにより、関連付けられた機能でレンズ鏡筒やカメラ本体の操作や設定を行うことができる。
【００１６】
図１は、第１実施形態に係るカメラを側面からみた図である。カメラ本体１０の背面には、本体側表示部６が設けられている。この本体側表示部６は、液晶ディスプレイ（ＬＣＤ）や有機ＥＬディスプレイ等を有する。また、接眼ファインダ３０が設けられている。ユーザは、本体側表示部６および接眼ファインダ３０によってライブビュー表示を観察し、また、種々の設定を行うことができる。
【００１７】
レンズ鏡筒２０は、本実施形態においては、交換レンズであり、カメラ本体１０に脱着自在である。レンズ鏡筒２０の側面には、レンズ側表示部２８が設けられており、このレンズ側表示部２８にはタッチパネル２９が配置されている。タッチパネル２９は、ユーザがレンズ側表示部２８に触れると、触れた位置を検出し、出力する。なお、タッチパネル２９は、レンズ側表示部２８に直接触れた際に位置検出するタイプに限らず、レンズ側表示部２８の表面近傍に近づくと位置検出するタイプでも良い。
【００１８】
図２は、本実施形態に係るカメラの主として電気的構成を示すブロック図である。レンズ鏡筒２０内には、制御部２１、通信部２２、駆動部２４、メモリ２７、レンズ側表示部２８、およびタッチパネル２９が設けられている。
【００１９】
撮影レンズ２６は、単焦点もしくは焦点距離可変の光学系から構成され、被写体像を形成する。撮影レンズ２６は、駆動部２４によって光軸方向に沿って駆動される。撮影レンズ２６が単焦点レンズの場合には、駆動部２４は手動焦点調節（マニュアルフォーカス）若しくは自動焦点調節（オートフォーカス）が可能であり、また撮影レンズ２６が焦点距離可変レンズ（ズームレンズ）である場合には、手動および自動焦点調節および焦点距離調節（ズーミング）を行う。
【００２０】
制御部２１は、ＣＰＵ（Central Processing Unit）等のコントローラを有し、メモリ２７に記憶されているプログラムに従ってレンズ鏡筒２０内の制御を行う。すなわち、制御部２１は、通信部２２を介してカメラ本体１０内の信号処理及び制御部１と通信を行い、カメラ本体１０内の信号処理及び制御部１からの要求に応じて、各種情報を送信する。
【００２１】
また、制御部２１は、後述する表示パターンとタッチパネル２９による検出結果に基づいてカメラ側にパラメータ変更情報を出力する。例えば、後述する図３（ｂ）（ｃ）に示すような表示パターンに応じて、ユーザがタッチ操作すると、この状態をタッチパネル２９が検出し、この検出結果に基づいてカメラ本体１０側にパラメータ変更情報を出力する（図４のＳ２３参照）。
【００２２】
メモリ２７は、フラッシュメモリ等の不揮発性から構成され、前述したように、制御用のプログラムを記憶している。また、メモリ２７は、後述するレンズ関連付けを行う際に本体側表示部６に表示する操作用画像（図３（ｃ）（ｅ）（ｆ）参照）や、レンズ側表示部２８に表示する操作用画像（図３（ｂ）（ｄ）参照）を記憶している。またメモリ２７は、撮影レンズ２６の、レンズ種別、長焦点側焦点距離、短焦点側焦点距離、開放絞り、光学特性等、種々のデータを記憶している。これらのデータは、レンズ鏡筒２０のカメラ本体１０への装着時、またはカメラ本体１０からの要求信号に応じて送信する。
【００２３】
レンズ側表示部２８は、図１に示したように、レンズ鏡筒２０の側面であって、ユーザがレンズ鏡筒２０を構えた際に指がタッチし易い位置に配置されている。レンズ側表示部２８には、制御部２１から出力される操作用画像が表示される。
【００２４】
タッチ検出部として機能するタッチパネル２９は、レンズ側表示部２８の表面に、またはレンズ側表示部２８と一体に設けられ、ユーザがタッチした位置を検出し、制御部２１に出力する。また、タッチパネル２９は、後述する本体側表示部６に表示する表示パターンに対するタッチ状態を検出する。制御部２１は、タッチパネル２９の検出結果を通信部２２、通信部１１を介して、カメラ本体１０側の信号処理及び制御部１に送信する。
【００２５】
カメラ本体１０内には、信号処理及び制御部１、撮像素子２、記録部４、本体側表示部６、通信部１１が設けられている。撮像素子２は、撮影レンズ２６によって被写体像が形成される位置に配置され、被写体像を画像信号に変換して信号処理及び制御部１に出力する。
【００２６】
信号処理及び制御部１は、撮像素子２から出力された画像信号の信号処理を行い、また図示しないメモリに記憶されたプログラムに従って、カメラ本体１０および撮影システム全体を制御する。信号処理及び制御部１によって信号処理された画像データは、本体側表示部６に出力され、ライブビュー画像や再生画像の表示を行う。また信号処理および制御部１によって圧縮処理された画像データは、記録部４に記録される。
【００２７】
また、信号処理及び制御部１は、レンズ鏡筒２０側の制御部２１と通信を行いながら、タッチパネル２９での操作と、複数の機能の内から選択して関連付けを行う。すなわち、レンズ鏡筒２０側のタッチパネル２９の操作によって、ズーム、マニュアルフォーカス、露出補正、およびモード変更等のいずれか１つ若しくは複数の機能を実行させるように、タッチパネルと機能との関連付けを行う。言い換えると、信号処理及び制御部１は、機能アイコン（後述する図３（ｃ）の６ｆ参照）と、操作部アイコン（後述する図３（ｃ）の６ｅを参照）が、本体側表示部６に表示された際に、タッチ検出部（タッチパネル２９）によって、機能アイコンと操作部アイコンがタッチ操作によって結びつけられたことを検出した場合に、タッチ検出部と機能アイコンを関連付ける関連付け部として機能する。
【００２８】
本体側表示部６は、後述するように、レンズ関連付けのために、選択可能な複数の表示パターンを表示する。レンズ関連付けにあたっては、複数の機能を示す機能アイコン（後述する図３（ｃ）の６ｆ参照）と、タッチ検出部（タッチパネル２９）を示す操作部アイコン（後述する図３（ｃ）の６ｅを参照）を表示する。
【００２９】
通信部１１は、レンズ鏡筒２０がカメラ本体１０に装着された際に、レンズ鏡筒２０の通信部２２と接続される。信号処理及び制御部１は、通信部１１およびレンズ鏡筒２０側の通信部２２を介して、レンズ鏡筒２０側の制御部２１と通信を行う。
【００３０】
次に、図３を用いて、本実施形態におけるレンズ関連付けの操作方法について説明する。図３（ａ）は、図１に示した本実施形態に係るカメラの側面図である。本実施形態においては、前述したように、カメラ本体１０の背面には本体側表示部６が設けられており、またレンズ鏡筒２０の側面には、レンズ側表示部２８およびタッチパネル２９が配置されている。
【００３１】
レンズ鏡筒２０のカメラ本体１０への装着時、またカメラ本体１０における関連付け操作時等に、レンズ鏡筒２０に設けられたタッチパネル２９と操作機能の関連付けを行う。この操作機能の関連付けを行うために、レンズ鏡筒２０のカメラ本体１０に装着時等に、図３（ｂ）に示すような操作画像をレンズ鏡筒２０からカメラ本体１０に送信する。信号処理及び制御部１は、受信した操作画像を本体側表示部６に表示し、ユーザはいずれかの操作画像をメニュー画面等で選択する。
【００３２】
操作画像は、本実施形態においては、図３（ｂ）に示すように、第１パターン６ａ、第２パターン６ｂ、第３パターン６ｃ、第４パターン６ｄの４種類のパターンが設けられている。ここで、第１パターン６ａは左右２つの釦を表示しており、第２パターン６ｂは、上下２つの釦を表示している。第３パターン６ｃは１つの水平バーを表示しており、第４パターン６ｄは２つの垂直バーを表示している。
【００３３】
このように、本実施形態においては、本体側表示部６に第１〜第４パターン６ａ〜６ｄを表示するが、いずれのパターンを表示するかは、カメラ本体側のメニュー画面等において設定しておく。勿論、この設定は、適宜変更できる。なお、本実施形態においては、第１〜第４パターン６ａ〜６ｄを表示していたが、これに限らず、一部を省略し、また異なるパターン、例えば、回転指示パターンや、３以上の釦や、３以上のバー表示等を追加しても構わない。
【００３４】
図３（ｃ）は、第３パターン６ｃが設定されている場合の、本体側表示部６における表示を示す。本体側表示部６には、選択パターン６ｅ、機能アイコン６ｆ、および終了アイコン６ｇが表示される。選択パターン６ｅは、第１〜第４パターンの内、現在、設定されているパターンを表示する。図３（ｃ）の例では、第３パターン６ｃが表示されている。機能アイコン６ｆは、関連付け可能な機能を表示する。図３（ｃ）の例では、ズーム、マニュアルフォーカス（ＭＦ）、露出補正、シャッタ速度優先（ＳＳ）モード、マルチレコーディングモードの５種類の機能が表示される。勿論、これに限らず、一部を省略し、また異なる機能を追加しても構わない。終了アイコン６ｇは、選択パターン６ｅと機能アイコン６ｆとの関連付け操作を終了する際に使用する。
【００３５】
図３（ｃ）に示すような操作用画像が表示されると、ユーザはこの操作用画像を見ながら、このパターンにユーザの希望する機能を、タッチパネル２９に関連付けする場合には、レンズ鏡筒２０側のタッチパネル２９上で関連付け操作を行えばよい。例えば、ユーザがタッチパネル２９における操作でズーミングを行いたい場合には、タッチパネル２９上で機能アイコン６ｆの「ズーム」に対応する位置（右上）から、選択パターン６ｅに対応する位置（左中）に向けて摺動操作（スライド操作）を行うと信号処理及び制御部１は関連付けを行う。この関連付けが完了すると、カメラ本体１０は、選択されたパターンをレンズ鏡筒２０に送信し、タッチパネル２９上でスライド操作することにより、ズーミングを行うことが可能となる。すなわち、関連付けがなされると、タッチパネル２９の検出出力に基づいて、関連付けられた機能の制御が行われる。
【００３６】
図３（ｄ）は、第３パターン６ｃとズームが関連付けられた場合において、レンズ側表示部２８の表示を示す。この状態では、画面の略中央に、図示するように、第３パターン６ｃに対応するバー表示２８ｃがなされる。ユーザがレンズ側表示部２８上を左右にスライド操作することにより焦点距離が変更され、制御部２１はタッチパネル２９からの検出出力に応じて撮影レンズ２６の焦点距離の調節を行う。なお、バー表示２８ｃの網掛け部は、現在、設定されている焦点距離を示している。テレ側またはワイド側にズーミングされると、網掛け部の位置は移動する。
【００３７】
レンズ側表示部２８の右上には選択機能２８ｂが表示され、左上側にはモード変更アイコン２８ａが表示されている。選択機能２８ｂは、現在、タッチパネル２９と関連付けされている機能が表示されている。関連付けされた機能を、ユーザが容易に確認できるようにするためである。モード変更アイコン２８ａは、ユーザが、タッチパネル２９と関連付けを変更する場合にタッチする位置を示している。すなわち、タッチパネル２９の左上をタッチすると、図示の例では、モード変更となり、図３（ｂ）に示すようなパターン変更画面が表示される。
【００３８】
図３（ｅ）は、第３パターン６ｃとズームの関連付けが完了した後の本体側表示部６の表示を示す。この状態では、ライブビュー表示と共に、選択機能６ｈとバー表示６ｉが表示される。ユーザは、ライブビュー表示を観察することにより、被写体像の構図とシャッタチャンスを決めることができる。また、この際、選択機能６ｈからタッチパネル２９と関連付けされた機能（図示の例ではズーム）を確認することができる。バー表示６ｉから選択したパターンの種類を確認し、また、図示の例ではバー表示６ｉの網掛け部の位置から焦点距離を知ることができる。
【００３９】
次に、本発明の第１実施形態の動作について、図４ないし図７に示すフローチャートを用いて説明する。図４は、カメラ本体１０側におけるレンズ通信の動作を示すフローチャートである。この動作は、信号処理及び制御部１が図示しないメモリに記憶されたプログラムに従って実行する。
【００４０】
図４に示すボディ側レンズ通信のフローに入ると、まず、装着され、通信が可能か否かの判定を行う（Ｓ１）。ここでは、図示しないレンズ装着検出部によって、レンズ鏡筒２０がカメラ本体に装着されているか否かを判定する。この判定の結果、レンズ鏡筒２０がカメラ本体に装着されている場合には、通信部１１、２２を介してレンズ鏡筒２０内の制御部２１と通信が可能か否かを判定する。なお、レンズ装着検出部を設けずに、常にレンズ鏡筒２０と通信を試行し、通信が不能の場合にはレンズ不装着、通信が可能な場合にはレンズ装着と判定するようにしても構わない。
【００４１】
ステップＳ１における判定の結果、レンズ鏡筒２０がボディに装着され通信が可能であった場合には、次に、相手の確認を行う（Ｓ３）。ここでは、通信結果に基づいて、装着されているレンズ鏡筒の種類を判定する。レンズ鏡筒２０のメモリ２７に記憶されたレンズ種別情報に基づいて、相手の特定を行う。
【００４２】
相手確認を行うと、次に、設定必要か否かの判定を行う（Ｓ５）。ここでは、レンズ鏡筒２０のタッチパネル２９とズーム等の機能が関連付けられているか否かの判定を行う。既に、関連付けがなされている場合には、設定は不要と判定され、関連付けがなされていない場合には、設定が必要と判定される。なお、タッチパネルと機能の関連付けが設定した後に、レンズ鏡筒２０が取り外され、別のカメラ本体に装着される場合がある。この場合には、ステップＳ５で設定必要と判定される。
【００４３】
ステップＳ５における判定の結果、設定が必要と判定された場合には、次に、レンズ仕様要求を行う（Ｓ７）。本実施形態においては、レンズ鏡筒２０は交換レンズであり、種々のレンズ鏡筒が装着可能であることから、このステップでは、装着されたレンズ鏡筒２０の仕様に関する情報の送信をレンズ鏡筒２０に要求する。
【００４４】
レンズ仕様を要求すると、次に、レンズ鏡筒２０からレンズ仕様を受信する（Ｓ９）。後述する、図５のステップＳ３７において、レンズ鏡筒２０はメモリ２７に記憶されているレンズ仕様をカメラ本体１０に送信することから、このステップでは、送信されてきたレンズ仕様を受信する。なお、併せて、図３（ｂ）に示したような第１〜第４パターン等の操作画像を受信するので、ユーザは、メニュー画面等において、いずれかを選択する。
【００４５】
レンズ仕様を受信すると、次に、カメラ本体の仕様をレンズ鏡筒２０に送信する（Ｓ１１）。本実施形態においては、レンズ鏡筒２０側のタッチパネルにおいて、露出補正やモード変更等、カメラ本体１０側に係る機能の関連付けを行うことから、レンズ鏡筒２０に対して、カメラ本体１０の仕様を送信する。
【００４６】
ステップＳ５における判定の結果、設定が必要でない場合には、次に、設定済み内容でパラメータ指示を行う（Ｓ１３）。レンズ鏡筒装着時に既にタッチパネル２９と機能の関連付けを行っていることから、設定の必要がない。露出補正等が設定されている場合には、露出補正値等のパラメータも併せて設定されていることから、この場合には、設定されているパラメータをレンズ鏡筒２０に送信する。なお、別のカメラ本体に装着時に設定された後、取り外された場合には、前述したように、ステップＳ５において設定必要と判定される。この場合には、ステップＳ１３において、設定が済んでいることを本体側表示部６（またはレンズ側表示部２８）に表示させ、ユーザに警告するようにしてもよい。すなわち、レンズとカメラの通信によって、レンズ操作部の設定を行うカメラにおいて、レンズとカメラの組合せが変更された時、設定が済んでいることをカメラに警告表示するようにしても良い。
【００４７】
ステップＳ１３において、設定済み内容でパラメータ指示を行うと、またはステップＳ１１においてボディ仕様を送信すると、またはステップＳ１における判定の結果、レンズ装着、通信でなかった場合には、次に、関連付けモードか否かの判定を行う（Ｓ１５）。関連付けモードは、レンズ鏡筒２０の装着時、またはメニュー画面や操作部材の操作によって実行する。
【００４８】
ステップＳ１５における判定の結果、関連付けモードであった場合には、次に関連付けを行う（Ｓ１７）。ここでは、予め設定されている第１〜第４のパターン６ａ〜６ｄのいずれかで操作画像を、本体側表示部６に表示する。例えば、第３パターン６ｃが設定されている場合には図６（ｃ）を表示する。操作画像が表示されると、ユーザは、レンズ鏡筒２０側のレンズ側表示部２８上で、機能アイコン６ｆから選択パターン６ｅに向けてスライド操作を行って関連付けを行う。
【００４９】
続いて、レンズに操作パラメータの指示を行う（Ｓ１９）。関連付けされたモードによってパラメータの範囲が必要となる。例えば、関連付けされたモードが露出補正モードの場合には、露出補正のパラメータ範囲（例えば−３〜＋３）を、またシャッタ速度優先モードの場合には、シャッタ速度の範囲（例えば、１〜１／２０００ｓｅｃ）を、レンズ鏡筒２０に送信する。なお、レンズ鏡筒２０では、後述するステップＳ４１、Ｓ４３（図５参照）において、受信したパラメータ指示の処理を行う。
【００５０】
ステップＳ１９において、レンズに操作パラメータを指示すると、またはステップＳ１５における判定の結果、関連付けモードではない場合には、次に、パラメータ値変更信号を受信したか否かを判定する（Ｓ２１）。パラメータの数値は、ユーザがレンズ鏡筒２０のタッチパネル２９をタッチされ変更されると、後述するステップＳ５５（図５参照）において、カメラ本体１０側に送信する。そこで、このステップＳ２１では、パラメータの数値の変更信号を受信したか否かを判定する。
【００５１】
ステップＳ２１における判定の結果、パラメータ値変更信号を受信した場合には、次に、パラメータとその数値を設定する（Ｓ２３）。ここでは、レンズ鏡筒２０から送信されてきたパラメータとその数値を受信し、受信したパラメータに従って露出補正値やシャッタ速度優先モードのシャッタ速度等の設定を行う。
【００５２】
ステップＳ２３においてパラメータとその値設定を行うと、またはステップＳ２１における判定の結果、パラメータ値変更信号を受信しなかった場合には、ボディ側レンズ通信のフローを終了し、図示しないボディ側のメインフローに戻る。
【００５３】
次に、図５に示すフローチャートを用いては、レンズ鏡筒２０側におけるボディ通信の動作を説明する。図５および後述する図６、７の動作は、制御部２１がメモリ２７に記憶されたプログラムに従って実行する。
【００５４】
図５に示すレンズ側ボディ通信のフローに入ると、まず、ボディ装着され、通信が可能か否かの判定を行う（Ｓ３１）。ここでは、図示しないボディ装着検出部によって、レンズ鏡筒２０がカメラ本体１０に装着されているか否かを判定する。この判定の結果、レンズ鏡筒２０がカメラ本体１０に装着されている場合には、通信部１１、２２を介してカメラ本体１０の信号処理及び制御部１と通信が可能か否かを判定する。なお、ボディ装着検出部を設けずに、常にカメラ本体１０と通信を試行し、通信が不能の場合にはボディ不装着、通信が可能な場合にはボディ装着と判定するようにしても構わない。
【００５５】
ステップＳ１における判定の結果、ボディに装着され通信が可能であった場合には、次に、相手の確認を行う（Ｓ３）。ここでは、通信結果に基づいて、装着されているカメラ本体１０の種類を判定する。カメラ本体１０内の図示しないメモリに記憶されたボディ種別情報に基づいて、相手の特定を行う。
【００５６】
ステップＳ３３において相手確認を行うと、またはステップＳ３１における判定の結果、ボディ装着、通信でなかった場合には、次に、仕様要求があるか否かの判定を行う（Ｓ３５）。前述したステップＳ７（図４参照）において、カメラ本体１０側からレンズ鏡筒２０側にレンズ鏡筒２０の仕様の送信を要求しているか否かを判定する。
【００５７】
ステップＳ３５における判定の結果、仕様要求があった場合には、次に、レンズ仕様をカメラ本体１０に送信する（Ｓ３７）。ここでは、メモリ２７に記憶されているレンズ仕様、例えば、長焦点側焦点距離、短焦点側焦点距離、開放絞り、光学特性等、種々のデータをカメラ本体１０に通信部１１、２２を介して送信する。また、併せて、図３（ｂ）に示したような第１〜第４パターン等の操作画像を送信する。なお、レンズ仕様を送信すると、前述したステップＳ９（図４参照）において、カメラ本体１０はレンズ仕様を受信する。
【００５８】
レンズ仕様を送信すると、次に、ボディ仕様を受信する（Ｓ３９）。前述したように、カメラ本体１０がレンズ仕様を受信すると、ステップＳ１１においてボディ仕様をレンズ鏡筒２０に送信する。このステップでは、レンズ鏡筒２０から送信されてきたボディ仕様を受信する。
【００５９】
ステップＳ３９においてボディ仕様を受信すると、次に、パラメータ指示を受信したか否かを判定する（Ｓ４１）。前述したステップＳ１９において、カメラ本体１０から操作パラメータの送信を行う場合がある。そこで、このステップでは、カメラ本体１０から操作パラメータを受信したか否かを判定する。
【００６０】
ステップＳ４１における判定の結果、パラメータ指示を受信した場合には、操作座標と仕様、パラメータの関連付け結果の記録を行う（Ｓ４３）。ここでは、操作座標（タッチパネル２９上のタッチ位置）、仕様（例えば、露出補正やシャッタ速度優先モード時の設定シャッタ速度等）とからパラメータの関連付けを決め、メモリ２７に記録する。例えば、タッチパネル２９が露出補正値の設定に使用すると関連付けられた場合、タッチ位置に応じた露出補正の数値の関係を決め、この結果を記録する。
【００６１】
ステップＳ４３において、操作座標と仕様からパラメータ関連付け結果の記録を行うと、またはステップＳ３５における判定の結果、仕様要求がなかった場合、またはステップＳ４１における判定の結果パラメータ指示がなかった場合には、次に、タッチ操作がなされたか否かを判定する（Ｓ４５）。ここでは、タッチパネル２９の検出出力に基づいて、ユーザがタッチ操作したか否かを判定する。
【００６２】
ステップＳ４５における判定の結果、タッチ操作がなされた場合には、次に、ボディ側からイネーブル信号があるか否かを判定する（Ｓ４７）。ユーザが不用意にタッチパネル２９をタッチしてしまうことがあることから、カメラ本体１０側において、ユーザが操作状態にある場合にイネーブル信号を出力するようにしている。したがって、カメラ本体１０からイネーブル信号が出力されていない場合には、タッチパネル２９におけるタッチ操作が禁止される。
【００６３】
ステップＳ４７における判定の結果、ボディ側からイネーブル信号が出力されていた場合には、次に、タッチ操作に係る処理がボディ側か否かの判定を行う（Ｓ４９）。ズームやマニュアルフォーカス（ＭＦ）の場合には、処理をレンズ鏡筒２０側で行われる。しかし、露出補正やモード変更は、カメラ本体１０における処理が必要となる。
【００６４】
ステップＳ４９における判定の結果、処理がボディ側の場合には、次に数値算出を行う（Ｓ５３）。ここでは、ボディ仕様、操作座標とからパラメータの数値の算出を行う（Ｓ５３）。ここでは、設定されているモード（例えば、露出補正モードやシャッタ速度優先モード）に応じて、カメラ本体１０の仕様、タッチパネル２９上のタッチ位置（操作座標）から、設定モードに応じたパラメータの数値を算出する。この数値算出の詳しい動作については、図６および図７を用いて後述する。
【００６５】
パラメータの数値の算出を行うと、次に、パラメータとその値を送信する（Ｓ５５）。ここでは、ステップＳ５３において算出したパラメータとその数値をカメラ本体１０に送信する。例えば、パラメータは露出補正であり、その数値として、−２段を、カメラ本体１０に送信する。カメラ本体１０は、パラメータと数値を受信すると、ステップＳ２３（図４参照）において、パラメータとその値の設定を行う。
【００６６】
ステップＳ４９における判定の結果、処理がレンズ鏡筒側であった場合には、操作座標と仕様から駆動量を算出する（Ｓ５１）。ズームやマニュアルフォーカスのようにレンズ鏡筒２０側で処理が行われる場合には、タッチパネル２９のタッチ位置（操作座標）とレンズ鏡筒２０の仕様から、駆動量の算出を行う。例えば、ズームモードが設定されている場合には、ズーミングを行うためにタッチ位置やスライド方向に応じた撮影レンズ２６の駆動量を算出する。
【００６７】
ステップＳ５１において操作座標と仕様からパラメータ算出を行うと、またはステップＳ５５においてパラメータとその値の送信を行うと、またはステップＳ４７における判定の結果、ボディ側からイネーブル信号が出力されていなかった場合、またはステップＳ４５における判定の結果、タッチ操作がなかった場合には、レンズ側ボディ通信を終了し、図示しないメインフローに戻る。
【００６８】
次に、ステップＳ５３の数値算出の詳しい動作について、図６及び図７を用いて説明する。数値算出のフローに入ると、まず、タッチパネル２９の操作に露出補正モードが関連付けられたか否かを判定する（Ｓ６１）。
【００６９】
ステップＳ６１における判定の結果、露出補正が関連付けられていた場合には、次に、操作位置変化、時間で補正の変更を行う（Ｓ６１）。ここでは、タッチパネル２９のタッチ開始位置、スライド方向、タッチ終了位置、タッチ時間等に基づいて、露出補正値を変更する。例えば、第３パターン６ｃが選択されている場合には、ユーザのタッチ方向が右側にスライドしている場合には、露出補正値を増加させ、一方タッチ方向が左側にスライドしている場合には露出補正値を減少させる。第１または第２パターン６ａ、６ｂが選択されている場合には、タッチ位置とタッチ時間に応じて、露出補正値の増減を行う。
【００７０】
ステップＳ６３において補正値の変更を行うと、次に、リミットを超えたか否かの判定を行う（Ｓ６５）。ここでは、ステップＳ６３で変更された補正値が、露出補正値の範囲の限界を超えたか否かを判定する。変更できる露出補正値は所定値範囲内に限られるからである。
【００７１】
ステップＳ６５における判定の結果、リミットを超えていない場合には、設定補正値とする（Ｓ６７）。ここでは、ステップＳ６３において変更された露出補正を設定する。一方、判定の結果、リミットを超えていた場合には、リミット補正値とする（Ｓ６９）。ここでは、露出補正値の限界値を設定する。
【００７２】
ステップＳ６１における判定の結果、露出補正でなかった場合には、次に、シャッタ速度優先（ＳＳ）モードか否かを判定する（Ｓ７１）。シャッタ速度優先モードは、カメラ本体１０内のシャッタ（不図示）におけるシャッタ速度を予め設定し、この設定されたシャッタ速度に対して適正露光となるようにレンズ鏡筒２０内の絞り（不図示）を制御する露出制御モードである。なお、シャッタ速度優先モードは、カメラ本体１０内で設定することから、シャッタ速度優先モードが設定されている場合には、ステップＳ３９(図５参照)において、カメラ本体１０の仕様の１つとして受信する。
【００７３】
ステップＳ７１における判定の結果、シャッタ速度優先モードが設定されていた場合には、次に、操作位置、時間でシャッタ速度（ＳＳ）の変更を行う（Ｓ７３）。ここでは、タッチパネル２９のタッチ位置、スライド方向、タッチ時間等に基づいて、シャッタ速度値を変更する。例えば、第３パターン６ｃが選択されている場合には、ユーザのタッチ方向が右側にスライドしている場合には、シャッタ速度を高速側に変更し、一方タッチ方向が左側にスライドしている場合には低速側に変更する。
【００７４】
ステップＳ７３においてシャッタ速度値の変更を行うと、次に、リミットを超えたか否かの判定を行う（Ｓ６５）。ここでは、ステップＳ７３で変更されたシャッタ速度値が、制御範囲の限界を超えたか否かを判定する。変更できるシャッタ速度は所定のシャッタ速度の範囲内に限られるからである。
【００７５】
ステップＳ７５における判定の結果、リミットを超えていない場合には、設定シャッタ速度（ＳＳ）とする（Ｓ７７）。ここでは、ステップＳ７３において変更されたシャッタ速度（設定ＳＳ）を設定する。一方、判定の結果、リミットを超えていた場合には、リミットシャッタ速度（リミットＳＳ）とする（Ｓ７９）。ここでは、シャッタ速度値の限界値を設定する。
【００７６】
ステップＳ６７、Ｓ６９において補正値の設定を行うと、またはステップＳ７７、Ｓ７９においてシャッタ速度値を設定すると、元のフローに戻る。
【００７７】
ステップＳ７１において、シャッタ速度優先モードでなかった場合には、次に、モード１か否かを判定する（Ｓ８１）。ステップＳ８１〜Ｓ９１は、モードとしてマルチレコーディングモードが選択された場合の処理である。本実施形態におけるマルチレコーディングは、画面全体の画像と指定された範囲の画像を同時に記録する記録方式をいう。図３（ｃ）の機能アイコン６ｆの１つであるマルチレコーディングが選択された場合である。なお、図３（ｃ）の機能アイコン６ｆの内のモードの１つとして、「モード」を設け、この下位において選択可能としてもよい。
【００７８】
ステップＳ８１における判定の結果、モード１であった場合には、次に、選択モード１情報を表示する（Ｓ８３）。ここでは、図８（ａ）に示すようなマルチレコーディングの切換のための操作画像を、カメラ本体１０に送信し、本体側表示部６に表示させる。図示の例では、「範囲」「横」「縦」「光学ズーム」がリング上に表示される。「範囲」は、指定範囲の大きさを変更するモードであり、「横」は大きさが決められた指定範囲の位置を左右に移動させるためのモードであり、「縦」は大きさが決められた指定範囲の位置を上下に移動させるためのモードである。
【００７９】
選択モード１情報を表示すると、次に、モードに応じた回転量情報を検出する（Ｓ８５）。ここでは、タッチパネル２９上でユーザのタッチの回転方向に応じて、図８（ａ）（ｃ）（ｅ）に示すように、順次「範囲」「横」「縦」と移動させる。
【００８０】
ステップＳ８１における判定の結果、モード１でなかった場合には、モード２か否かを判定する（Ｓ８７）。ここでは、図８（ａ）（ｃ）（ｅ）に示すように、「範囲」「横」「縦」のいずれかが決定されているかに基づいて判定する。モード２は、モード１において操作方法に応じて指定範囲の決定を行う。
【００８１】
ステップＳ８７における判定の結果、モード２であった場合には、次に、選択モードＮ情報の表示を行う（Ｓ８９）。ここでは、図８（ｂ）（ｄ）（ｆ）に示すように、検出された顔を中心に選択範囲（破線で表示）を、カメラ本体１０側の本体側表示部６に表示させる。
【００８２】
選択モードＮ情報の表示を行うと、次に、モードに応じた回転量情報の検出を行う（Ｓ９１）。ここでは、タッチパネル２９上でユーザのタッチの回転方向および回転量を検出し、この方向および量に応じて、図８（ａ）（ｃ）（ｅ）に示すように、順次「範囲」を変更し、また「横」「縦」と移動させる。
【００８３】
すなわち、「範囲」が選択されている場合には、図８（ｂ）に示すように、回転量に応じて選択範囲（破線）の大きさを変更する。また、「横」が選択されている場合には、図８（ｄ）に示すように、回転量に応じて選択範囲（破線）の位置を左右に移動させる。また「縦」が選択されている場合には、図８（ｆ）に示すように、回転量に応じて選択範囲（破線）の位置を上下に移動させる。
【００８４】
ステップＳ８５、Ｓ９１においてモード応じた回転量情報の検出を行うと、またはステップＳ８７における判定の結果、モード２でなかった場合には、パラメータの算出を終了し、元のフローに戻る。
【００８５】
以上、説明したように、本発明の第１実施形態においては、本体側表示部６に表示パターン（第１パターン６ａ〜第４パターン）を表示させ、レンズ鏡筒２０に設けられたタッチパネル２９をタッチすることにより、表示パターンとカメラ本体機能またはレンズ鏡筒機能を関連付けるようにしている。このため、本体表示部６に表示される表示パターン、例えば、釦表示のパターン（第１パターン６ａ、第２パターン６ｂ）やバー表示のパターン（第３パターン６ｃ、第４パターン６ｄ）を見ながら、このパターンに応じてタッチパネル２９上でタッチ操作することにより、レンズ鏡筒機能のズーミングやマニュアルフォーカシングの機能を関連付けたり、カメラ本体機能の露出補正、シャッタ速度優先モード、マルチレコーディングの機能を関連付けたりすることが可能となる。
【００８６】
また、レンズ鏡筒２０においても複数の表示パターンの内、選択された表示パターンを表示するレンズ側表示部２８と、このレンズ側表示部２８に設けられ、表示パターンに対するタッチ状態を検出するタッチパネル２９を有している。このため、レンズ鏡筒２０側においても、タッチする際に、レンズの状態を簡単に確認することができる。
【００８７】
さらに、カメラ本体１０からレンズ鏡筒２０に、ボディ仕様を送信し（図４のＳ１１）、また、操作パラメータを送信し（図４のＳ１９）、レンズ鏡筒２０では、カメラ本体１０の制御に係る機能が関連付けられている場合には（図５のＳ４９）、制御部２１は、タッチ状態に応じて変更された露出補正値、シャッタ速度等のパラメータの数値を算出し（図５のＳ５３）、カメラ本体１０に送信している（図５のＳ５５）。このため、露出補正等、カメラ本体側で制御する機能の場合であっても、ユーザはレンズ鏡筒２０に設けられたタッチパネル２９上で操作することにより、露出補正値を変更することができる。ライブビュー表示を観察しながら、露出補正値の変更を行うことができる。なお、制御部２１は、タッチ検出部と関連付けられた機能が、カメラ本体側の機能である場合に、設定された機能に応じてパラメータの数値を算出する算出部として機能する。また、通信部２２が、算出部によって算出されたパラメータの数値をカメラ本体に送信する通信部として機能する。
【００８８】
次に、本発明の第１実施形態をより具体的にした第２実施形態について、図９ないし図１８を用いて説明する。
【００８９】
図９は、本発明の第２実施形態に係わるカメラの構成を示すブロック図であり、このカメラは、第１実施形態と同様に、カメラ本体１０とレンズ鏡筒２０から構成され、さらに接眼部は着脱自在の接眼ファインダ３０とから構成される。レンズ鏡筒２０は、カメラ本体１０のバヨネットマウント等を介してカメラ本体１０に着脱自在に装着される。また、接眼ファインダ３０は、アダプタ等によってカメラ本体１０に装着可能である。
【００９０】
なお、本実施形態におけるカメラは、いわゆる一眼カメラであり、カメラ本体１０、レンズ鏡筒２０、および接眼ファインダ３０を別体に構成したが、いわゆるコンパクトカメラのように、一体に構成するようにしても勿論かまわないし、また一眼レフカメラのように、カメラ本体１０および接眼ファインダ３０を一体に構成しても勿論かまわない。
【００９１】
レンズ鏡筒２０内には、制御部２１、通信部２２、リング操作部２３ａ、レンズ操作部２３ｂ、駆動部２４ａ、２４ｂ、位置検出部２５ａ、２５ｂ、レンズ２６、メモリ２７を有する。
【００９２】
制御部２１は、第１実施形態と同様に、ＣＰＵ（Central Processing Unit）等のコントローラを有し、メモリ２７に記憶されているプログラムに従ってレンズ鏡筒２０内の制御を行う。すなわち、制御部２１は、通信部２２を介してカメラ本体１０内の信号処理及び制御部１と通信を行い、カメラ本体１０内の信号処理及び制御部１からの要求に応じて、各種情報を送信する。また、制御部２１は、信号処理及び制御部１からの指示に従って撮影レンズ１０の自動焦点調節（オートフォーカス）等の動作を実行する。リング操作部２３ａがズーミング操作やマニュアルフォーカス操作に割り当てられた場合等には、リング操作部２３ａの操作に応じてズーミング動作やマニュアルフォーカス動作を実行する。
【００９３】
通信部２２は、カメラ本体１０内の通信部１１との間で通信を行う。カメラ本体１０からのレンズ仕様の送信要求等の要求信号を受信した場合には、通信部２２を介して要求信号に応じたレンズ状態信号を送信する。また、タッチパネル２９のタッチ状態等も通信部２２を介して、レンズ鏡筒２０からカメラ本体１０に送信される。この通信の詳細については、図１７および図１８を用いて後述する。
【００９４】
リング操作部２３ａは、レンズ鏡筒２０のレンズ鏡筒の周囲を回転自在に装着されており、回転に応じて発生するパルス信号を制御部２１に出力する。制御部２１は、パルス信号に基づいて回転方向および回転量・回転速度等を検出し、この回転状態に応じた制御、または回転状態を示す信号を、通信部２２を介してカメラ本体１０に送信する。レンズ操作部２３ｂは、レンズ鏡筒２０に設けられたリング操作部２３ａ以外の操作部である。例えば、モード変更用のプッシュスイッチ等がある。
【００９５】
駆動部２４ａ、２４ｂは、撮影レンズ２６内のズーム制御機構２６ａまたはピント制御機構２６ｂの駆動部である。制御部２１からの制御信号に基づいて、撮影レンズ２６内のレンズを駆動する。位置検出部２５ａ、２５ｂは、エンコーダを有し、撮影レンズ２６の焦点位置（ピント位置）および焦点距離（ズーム位置）を検出し、検出結果を制御部２１に出力する。
【００９６】
撮影レンズ２６は、第１実施形態と同様に、被写体像を形成するための複数の光学レンズからなる撮影光学系を有し、本実施形態においては、撮影光学系はズームレンズ光学系で構成される。撮影レンズ２６内には、ズーム制御機構２６ａおよびピント制御機構２６ｂが設けられており、駆動部２４ａ、２４ｂによって焦点位置調節（ピント調節）または焦点距離調節（ズーム調節）がなされる。また、図示しないが、絞り機構も設けられており、制御部２１からの制御信号に基づいて絞り開口径の制御がなされる。
【００９７】
メモリ２７は、第１実施形態と同様に、フラッシュメモリ等の不揮発性から構成され、前述したように、制御用のプログラムを記憶している。また、メモリ２７は、後述するレンズ関連付けを行う際に使用する操作部２３およびタッチパネル２９の操作画像を記憶している。またメモリ２７は、撮影レンズ２６のレンズ種別、長焦点側焦点距離、短焦点側焦点距離、開放絞り、光学特性等、種々のデータを記憶している。これらのデータは、レンズ鏡筒２０のカメラ本体１０への装着時、またはカメラ本体１０からの要求信号に応じて、カメラ本体１０に送信する。
【００９８】
カメラ本体１０内には、信号処理および制御部１、撮像素子２、顔検出部３、記録部４、通信部５、本体側表示部６、タッチパネル７、操作判定部８、時計部９、通信部１１が配置されている。
【００９９】
信号処理及び制御部１は、第１実施形態と同様に、図示しないメモリに記憶されたプログラムに従って、カメラ本体１０および撮影システム全体を制御する。
【０１００】
信号処理及び制御部１内には、レンズ操作関連付け部１ａ、レンズ操作判定部１ｂ、タッチ位置判定部１ｃ、表示制御部１ｄが設けられている。レンズ操作関連付け部１ａは、レンズ鏡筒２０側のタッチパネル２９の機能を、カメラ本体１０で関連付ける処理を行う。例えば、タッチパネル２９でのタッチ操作に応じて、ズーミング動作、マニュアルフォーカス、露出補正等を行うか、ユーザの意図に応じて機能の割り当てを行う。
【０１０１】
レンズ操作判定部１ｂは、通信部２２および通信部１４を介して、レンズ鏡筒２０におけるタッチパネル２９のタッチ操作の状態を判定する。タッチパネル２９で釦アイコンをタッチしたり、２つのアイコンの間でスライド操作等をした場合、これらの状態を判定する。
【０１０２】
タッチ位置判定部１ｃは、カメラ本体１０側のタッチパネル７からの検出信号を入力し、ユーザが本体側表示部６の画面上のどの位置をタッチしたか否かを判定する。また、レンズ鏡筒２０から送信されてくるタッチパネル２９の検出信号に基づいて、ユーザがレンズ側表示部２８のどの位置をタッチ（スライド等含む）したかを判定する。なお、レンズ鏡筒２０は、タッチパネル２９上のタッチ位置の座標情報を送信するようにしてもよい。
【０１０３】
表示制御部１ｄは、本体側表示部６における表示の制御を行う。この表示制御部１ｄは、ライブビュー表示等、種々の表示制御を行うが、その１つとして、レンズ操作関連付け動作時の表示制御を行う。すなわち、レンズ鏡筒２０から操作用画像が送信された際に本体側表示部６に表示させる。
【０１０４】
信号処理及び制御部１内のレンズ操作関連付け部１ａ、レンズ操作判定部１ｂ、タッチ位置判定部１ｃ、および表示制御部１ｄ等は、レンズ関連付け部として機能する。この関連付け部は、受信部として機能する通信部１１を介して受信したレンズ鏡筒２０内のタッチパネル２９に関する情報を本体側表示部６に表示し、タッチパネル２９をレンズ鏡筒２０またはカメラ本体１０の機能と関連付けを行う。
【０１０５】
撮像素子２は、ＣＣＤイメージセンサやＣＭＯＳイメージセンサ等の固体撮像素子であり、第１実施形態と同様、撮影レンズ２６の光軸上であって、撮影レンズ２６によって被写体像の結像される位置付近に配置される。この撮像素子２は、被写体像を画像信号に変換する。この画像信号は、デジタル画像データにＡＤ変換された後、信号処理及び制御部１に出力される。前述の撮影レンズ２６および撮像素子２は、撮影光学系によって形成される被写体画像を電気信号に変換する撮像部としての機能を果たす。
【０１０６】
顔検出部３は、被写体像の画像データを入力し、人物等の顔を検出する。この顔検出部３によって検出された顔にピントが合うようにしてもよい。なお、図１には、焦点検出回路を省略してあるが、画像データからコントラスト信号を求め、このコントラスト信号がピークとなるように撮影レンズ２６を制御する公知のコントラストＡＦ、または位相差からデフォーカス量を求めて撮影レンズ２６を制御する公知の位相差ＡＦ等、適宜、採用すればよい。
【０１０７】
記録部４は、フラッシュメモリ等の記録媒体であり、撮像素子２からの画像データに基づく記録用の静止画像データもしくは動画像データを記録する。なお、再生モードが選択されると、記録された画像データを読出し、本体側表示部６に表示される。
【０１０８】
通信部１２は、後述する接眼ファインダ３０との通信を行う。本実施形態においては、前述したように、接眼ファインダ３０はカメラ本体１０に装着可能であり、装着時または信号処理及び制御部１から要求信号が出力された場合には接眼ファインダ３０内の通信部３２との間で通信を行う。
【０１０９】
本体側表示部６は、カメラ本体１０の背面等に配置されたＬＣＤ（液晶ディスプレイ：Liquid Crystal Display）、有機ＥＬ等のディスプレイを有する。本体側表示部６は、撮像素子２からの画像データに基づいてライブビューを行い、また再生時には記録部４に記録された画像を表示する。また、タッチパネル２９とレンズ鏡筒２０またはカメラ本体１０の機能とのレンズ関連付け時には、第１パターン６ａ〜第４パターン６ｄ（図１０参照）と、機能を表すアイコン等の表示を行う。
【０１１０】
タッチパネル７は、本体側表示部６の前面、または本体側表示部６と一体に構成され、ユーザが本体側表示部６をタッチした位置に応じた検出信号を信号処理及び制御部１に出力する。タッチパネル７は、各種カメラ設定において、画面のタッチ入力を行うことが可能である。なお、レンズ鏡筒２０側のタッチパネル２９と機能とのレンズ関連付け操作時には、タッチ検出は行わず、関連付け操作は禁止されている。しかし、カメラ本体１０側でも関連付け操作を可能にしても勿論かまわない。
【０１１１】
操作判定部８は、電源釦、レリーズ釦、再生釦、メニュー釦等、カメラ本体１０の種々の操作部材の操作状態を判定する。信号処理及び制御部１は、操作判定部８によって判定された操作部材の操作状態に基づいて、種々の制御を実行する。
【０１１２】
時計部９は、時計機能を有し、撮影時刻等の日時情報を取得し、また、信号処理及び制御部１による制御動作時における計時機能を果たす。通信部１１は、前述したように、レンズ鏡筒２０との通信を行う。
【０１１３】
接眼ファインダ３０には、接眼表示部３１および通信部３２が配置されている。通信部３２は、カメラ本体１０側の通信部５と通信を行う。接眼表示部３１は、電子ファインダを有しており、通信部５および通信部３２を介して入力した、画像を表示する。例えば、撮像素子２からの画像データに基づいて、ライブビュー表示を行う。接眼表示部３１も撮像部からの電気信号に基づいて被写体画像を表示する表示部として機能する場合がある。
【０１１４】
次に、図１０を用いて、本実施形態における操作方法の設定について説明する。図１０（ａ）（ｂ）（ｄ）（ｅ）は、第１実施形態における図３（ａ）（ｂ）（ｄ）（ｅ）と同じであるので、詳しい説明は省略する。
【０１１５】
図１０（ｃ）は、第１実施形態の場合と同様、第３パターン６ｃが設定されている場合の、本体側表示部６における表示を示す。第１実施形態においては、機能アイコン６ｆとして、ズーム、マニュアルフォーカス（ＭＦ）、露出補正、シャッタ速度優先モード（ＳＳ）、およびマルチレコーディングモードの５種類の機能が表示されていた。これに対して、第２実施形態においては、ズーム、マニュアルフォーカス（ＭＦ）、露出補正、モード変更の４種類の機能が表示されている。勿論、第１実施形態と同様、機能アイコンとしては適宜、省略、追加を行ってもよい。
【０１１６】
本実施形態においておも、第１実施形態と同様に、図１０（ｃ）に示すような操作画像が表示されると、ユーザはこの操作画像を見ながら、このパターンにユーザの希望する機能を関連付けする場合には、レンズ鏡筒２０側のタッチパネル２９上で関連付け操作を行うことができる。例えば、ユーザがタッチパネル２９における操作でズーミングを行いたい場合には、タッチパネル２９上で機能アイコン６ｆの「ズーム」に対応する位置（右上）から、選択パターン６ｅに対応する位置（左中）に向けて摺動操作（スライド操作）を行う。このスライド操作により、タッチパネル２９上でスライド操作することにより、ズーミングを行うことが可能となる。
【０１１７】
図１０（ｆ）は、第４パターン６ｄが選択された場合の本体側表示部６の表示の一例を示す。第４パターン６ｄが選択されている場合には、ユーザがタッチパネル２９の左側を縦方向にスライド操作することによりズーミングを行うことができ、右側を縦方向にスライド操作することによりピント合わせを行うことができる。これに対応して、本体側表示部６の左側にはズーム用のバー表示６ｊが、また右側にはピント合わせ用のバー表示６ｋが、ライブビュー表示と共に表示される。
【０１１８】
次に、本発明の第２実施形態の動作について、図１１ないし図１４、および図１６に示すフローチャートを用いて説明する。図１１は、カメラ本体１０のカメラ制御の動作を示すフローチャートである。この動作は、信号処理及び制御部１が図示しないメモリに記憶されたプログラムに従って実行する。
【０１１９】
図１１に示すカメラ制御のフローに入ると、まず、レンズ交換がなされたか否かの判定を行う（Ｓ１０１）。ここでは、第１実施形態と同様に、図示しないレンズ装着検出部の検出出力に基づいて、レンズ鏡筒２０がカメラ本体に未装着状態から装着状態に変化したか否かを判定する。なお、第１実施形態の場合と同様、レンズ装着検出部を設けずに、常にレンズ鏡筒２０と通信を試行し、この通信結果に基づいて、レンズ交換がなされたか否かを判定するようにしても構わない。
【０１２０】
ステップＳ１０１における判定の結果、レンズ交換がなされた場合には、次に、操作部材変更可能レンズか否かの判定を行う（Ｓ１０３）。ここでは、通信部１１、２２を介してレンズ鏡筒２０内の制御部２１と通信を行い、レンズ種別情報を取得し、これに基づいて、操作部材変更可能レンズか否かを判定する。装着されたレンズ鏡筒によっては、タッチパネル２９等、レンズ関連付けを行うための部材を有していない場合がある。このステップでは、図１０に示すようなタッチパネル２９と機能の関連付けが可能なレンズ鏡筒２０であるか否かを判定する。
【０１２１】
ステップＳ１０３における判定の結果、操作部材変更可能なレンズであった場合には、次に、表示可能パターン通信を行う（Ｓ１０５）。ここでは、カメラ本体１０側で設定されている第１パターン６ａ〜第４パターン６ｄを、通信部１１、２２を介して、レンズ鏡筒２０側の制御部２１に送信する。
【０１２２】
表示可能パターン通信を行うと、次に、関連付け操作を行う（Ｓ１０７）。ここでは、図１０（ｃ）に示したように、タッチパネル２９の選択パターン６ｅと、レンズ鏡筒２０またはカメラ本体１０の機能アイコン６ｆの関連付けを行う。この関連付け操作の詳細については、図１２を用いて後述する。
【０１２３】
関連付け操作を行うと、次に、撮影モードか否かの判定を行う（Ｓ１０９）。ここでは、撮像素子２からの画像データを取得し記録するための撮影モードが設定されているか否かを判定する。
【０１２４】
ステップＳ１０９における判定の結果、撮影モードが設定されていなかった場合には、次に、再生モードか否かの判定を行う（Ｓ１１１）。再生モードは、再生釦等の操作部材の操作によって設定されることから、このステップでは、操作判定部８の検出結果に基づいて判定する。
【０１２５】
ステップＳ１１１における判定の結果、再生モードが設定されて場合には、次に、画像再生モードを実行する（Ｓ１１３）。ここでは、記録部４に記録されている画像データを読出し、信号処理制御部１において伸張処理を行った後、表示部６に再生表示する。ステップＳ１１３において画像再生を行うと、またはステップＳ１１１における判定の結果、再生モードでなかった場合には、ステップＳ１０１に戻る。
【０１２６】
ステップＳ１０９における判定の結果、撮影モードであった場合には、次に、撮像と画像表示を開始する（Ｓ１１５）。ここでは、撮像素子２によって画像信号を取得し、信号処理及び制御部１において画像処理を行い、本体側表示部６にライブビュー表示を行う。このライブビュー表示にあたって、図１０（ｅ）（ｆ）に示すように、ライブビュー表示にパターンと選択機能６ｈを重畳表示する。
【０１２７】
次に、レンズ通信を行う（Ｓ１１７）。ここでは、レンズ鏡筒２０と通信部１１、２２を介して、タッチパネル２９の操作状態、レンズ鏡筒２０の固有情報、現在の焦点距離情報、現在の焦点位置情報、絞り状態等、種々の情報を要求すると共に、これらの情報をレンズ鏡筒２０から受信する。また、カメラ仕様等、種々のカメラ情報を送信する。
【０１２８】
レンズ通信を行うと、次に、レンズタッチパネル操作による表示更新要求が有る否かの判定を行う（Ｓ１１９）。ユーザがレンズ鏡筒２０のタッチパネル２９をタッチ操作すると、後述するステップＳ２１７（図１４参照）１１７において、表示更新要求を送信する。このステップでは、この表示更新要求を受信したか否かに基づいて判定する。
【０１２９】
ステップＳ１１９における判定の結果、表示更新要求があった場合には、次に、表示更新を行う（Ｓ１２１）。ここでは、レンズ鏡筒２０側のタッチパネル２９が操作されたことに応じて本体側表示部６の表示の更新を行う。例えば、第３パターン６ｃが選択されていて、タッチパネル２９上でユーザが左右にスライド操作を行うと、この動きに応じて焦点距離を変更すると共に、バー表示上の焦点距離位置を変更する。
【０１３０】
表示更新を行うと、またはステップＳ１１９における判定の結果、表示更新要求がなかった場合には、次に、撮影か否かの判定を行う（Ｓ１２３）。ユーザが構図を決めシャッタ釦を操作すると、撮影を行う。このステップでは、操作判定部８の検出結果に基づいてシャッタ釦が押されたか否かに基づいて判定する。
【０１３１】
ステップＳ１２３における判定の結果、撮影であった場合には、次に、撮影および記録を行う（Ｓ１２５）。ここでは、撮像素子２からの画像信号を信号処理及び制御部１が処理し、この処理された画像データを記録部４に記録する。
【０１３２】
撮影及び記録を行うと、またはステップＳ１２３における判定の結果、撮影でなかった場合には、次に、機能変更操作がなされたか否かを判定する（Ｓ１２７）。図１０（ｂ）に示したようにパターンを変更する場合や、また図１０（ｃ）に示すように、関連付けを変更する場合には、機能変更操作を行う。この機能変更操作は、カメラ本体１０のメニュー画面等において行う。
【０１３３】
ステップＳ１２７における判定の結果、機能変更操作が無い場合には、ステップＳ１０１に戻る。一方、機能変更操作を行う場合には、レンズ機能の変更要求をレンズ鏡筒に送信する（Ｓ１２９）。変更要求を送信すると、ステップＳ１０３に戻り、図１０（ｂ）に示すように、選択パターン６ｅと機能アイコン６ｆの関連付けを行う。
【０１３４】
このように、本実施形態におけるカメラ制御では、レンズ交換がなされると（Ｓ１０１）、または機能変更操作がなされると（Ｓ１２７）、パターン（選択パターン６ｅ）と機能（機能アイコン６ｆ）の関連付けがなされる（Ｓ１０７）。また、撮影モードが設定されている場合には、図１０（ｅ）（ｆ）に示すように、ライブビュー表示に関連付け操作のための画像を重畳して表示を行っている。また、カメラ本体１０とレンズ鏡筒２０の間でレンズ通信を行い（Ｓ１１７）、表示更新要求があった場合には、タッチパネル２９の操作状態に応じて、本体側表示部６の表示を変更している（Ｓ１２１）。
【０１３５】
次に、ステップＳ１０７の関連付け操作の詳しい動作について、図１２を用いて説明する。関連付け操作のフローに入ると、まず、レンズ関連付け受信が有るか否かの判定を行う（Ｓ１５１）。レンズ関連付け操作は、レンズ交換時等に、レンズ鏡筒２０側のタッチパネル２９のタッチ操作によって行うことから、このステップでは、通信部２２、１１を介して、レンズ関連付け要求を受信したか否かを判定する。
【０１３６】
ステップＳ１５１における判定の結果、レンズ関連付けを受信しない場合には、デフォルトの関連付けを行う（１７９）。レンズ関連情報を受信できない場合には、予め決められているデフォルト、例えば、選択パターン６ｅにズーム機能を関連付ける。
【０１３７】
ステップＳ１５１における判定の結果、レンズ関連付けを受信した場合には、次に、レンズ関連付け表示を行う（Ｓ１５３）。レンズ関連付け操作を行う場合には、図１０（ｃ）に示すような、関連付け操作用の操作部画像をレンズ鏡筒２０から送信してくるので、受信した操作部画像を本体側表示部６に表示する。なお、レンズ鏡筒２０側における操作部画像の生成と送信については、図１３を用いて後述する。
【０１３８】
レンズ関連付け表示を行うと、次に、スライド検出か否かを判定する（Ｓ１５５）。通信部１１、２２を介して、タッチパネル２９のタッチ状態の検出結果が送信されてくるので、この検出結果に基づいて、タッチ位置判定部１ｃがスライド操作を行った否かを判定する。
【０１３９】
ステップＳ１５５における判定の結果、スライド検出がなかった場合には、次に、所定の時間、待機状態となり（Ｓ１５７）、所定時間が経過するまでは、ステップＳ１５５とＳ１５７を交互に実行する。レンズ関連付け操作は、図１０（ｃ）に示すように、選択パターン６ｅと機能アイコン６ｆのいずれかをスライド操作によって結びつける。ステップＳ１５５およびＳ１５７において、このスライド操作が行われたか否かを所定時間の間、検出する。
【０１４０】
ステップＳ１５５における判定の結果、スライド検出があった場合には、次に、スライド始点終点が画像の操作部にあるか否かを判定する（Ｓ１５９）。ここでは、タッチパネル２９上のスライド操作の始点または終点が、操作部（選択パターン６ｅ）であるかを、タッチパネル２９の位置検出結果に基づいて、タッチ位置判定部１ｃが判定する。
【０１４１】
ステップＳ１５９における判定の結果、スライド始点と終点が画像の操作部にあった場合には、次に、スライド始点終点がアイコン部にあるか否かを判定する（Ｓ１６１）。ここでは、タッチパネル２９上のスライド操作の始点または終点が、アイコン部（機能アイコン６ｆ）であるかを、タッチパネル２９の位置検出結果に基づいて、タッチ位置判定部１ｃが判定する。
【０１４２】
ステップＳ１６１における判定の結果、スライド始点終点がアイコン部であった場合には、次に、複数関連付け可能か否かの判定を行う（Ｓ１６３）。第４パターン６ｄは、２つの機能を関連付けることが可能であり、第１パターン６ａ、第２パターン６ｂ、および第３のパターン６ｃは１つの機能しか関連付けることができない。このステップでは、パターンの種類に応じて複数関連付け可能か否かの判定を行う。
【０１４３】
ステップＳ１６３における判定の結果、複数関連付け可能であった場合には、次に、関連付けの空きがあるか否かの判定を行う（Ｓ１６５）。２つの機能を関連付け可能なパターンであっても、既に、２つの機能が関連付けされている場合がある。そこで、このステップでは、関連付けの空きが有る否かを判定する。
【０１４４】
ステップＳ１５７における判定の結果、所定時間が経過した場合、またはステップＳ１５９〜Ｓ１６５における判定の結果、Ｎｏであった場合には、既に関連付けされたアイテム（機能）を表示する（Ｓ１７３）。ここでは、複数の機能が関連付けられている場合には、複数の機能を、また、１つの機能が関連付けられている場合には、その機能を本体側表示部６に表示する。
【０１４５】
続いて、関連付けを削除するか否かを判定する（Ｓ１７５）。ユーザが関連付けを削除することにより、新たな関連付けを行うことができる。削除は、削除用の別の画面を本体側表示部６に表示し、カメラ本体１０に設けられた削除釦または削除用アイコン等の操作によって行うので、このステップでは、機能アイコンが選択され、削除釦または削除用アイコン等が操作されたか否かに基づいて判定する。
【０１４６】
ステップＳ１７５における判定の結果、関連付けを削除するであった場合には、選択された関連付けを削除する（Ｓ１７７）。削除を実行すると、ステップＳ１５５に戻り、再度、選択パターン６ｅと機能アイコン６ｆの間で、関連付けを行うことができる。
【０１４７】
ステップＳ１６５における判定の結果、関連付けの空きがある場合には、次に、操作部（選択パターン６ｅ）とアイコン機能（機能アイコン６ｆ）の関連付けを行う（Ｓ１６７）。関連付けの空きがあることから、関連付けを実行する。
【０１４８】
関連付けを行うと、次に、関連付け情報を送信する（Ｓ１６９）。ここでは、１つまたは複数の関連付けの結果を、通信部１１、２２を介して、レンズ鏡筒２０の制御部２１に送信する。
【０１４９】
ステップＳ１６９において関連付け情報の送信を行うと、またはステップＳ１７５における判定の結果関連付け削除を行わない場合、またはステップＳ１７９においてデフォルトの関連付けがなされると、次に、関連付け操作を終了するか否かの判定を行う（Ｓ１７１）。ユーザが関連付け操作の終了を行う場合には、図１０（ｃ）に示す関連付けの操作画面において、終了アイコン６ｇをクリックする。そこで、このステップでは、終了アイコン６ｇがクリックされたか否かに基づいて判定する。
【０１５０】
ステップＳ１７１における判定の結果、関連付け操作を終了しない場合には、ステップＳ１５５に戻る。一方、判定の結果、関連付け操作を終了する場合には、このフローを終了し、元のフローに戻る。
【０１５１】
次に、レンズ鏡筒２０において実行される操作部画像通信について図１３を用いて説明する。操作部画像は、ステップＳ１０５（図１１参照）において、カメラ本体１０がレンズ鏡筒２０から受信する画像であり、図１０（ｃ）に示すように、レンズ関連付け操作を行うための操作用画像である。なお、図１３、図１４、および図１６に示すフローチャートはレンズ鏡筒２０内の制御部２１がメモリ２７に記憶されているプログラムに従って実行する。
【０１５２】
操作部画像通信のフローに入ると、まず、レンズ交換が行われたか否かの判定を行う（Ｓ１８１）。ここでは、第１実施形態と同様に、図示しないボディ装着検出部によって、レンズ鏡筒２０が未装着状態からカメラ本体１０に装着されたか否かを判定する。なお、ボディ装着検出部を設けずに、常にカメラ本体１０と通信を試行し、通信が不能から可能に変化した場合に、レンズ交換がなされたと判定するようにしても構わない。
【０１５３】
ステップＳ１８１における判定の結果、レンズ交換がなされた場合には、次に、通信可能か否かの判定を行う（Ｓ１８３）。ここでは、通信部１１、２２を介してカメラ本体１０の信号処理及び制御部１と通信が可能か否かを判定する。
【０１５４】
ステップＳ１８３における判定の結果、通信可能であれば、次に、操作部画像送信を行う（Ｓ１８５）。ここでは、図１０（ｂ）に示すような、第１パターン６ａ〜第４パターン６ｄの画像を、通信部２２、１１を介して、カメラ本体１０の信号処理及び制御部１に送信する。カメラ本体１０は、受信した操作部画像に基づいて、パターンの選択を行うことができる。
【０１５５】
続いて、レンズ内メモリの関連付け送信を行う（Ｓ１８７）。レンズ内メモリ２７には、関連付けのために、選択パターン６ｅと、選択されている機能アイコン６ｆが記憶されている。制御部２１がメモリ２７からこれらの関連付けの情報を読出し、通信部２２、１１を介して、カメラ本体１０の信号処理及び制御部１に送信する。
【０１５６】
レンズ内メモリの関連付けを送信すると、次に、変更要求があるか否かを判定する（Ｓ１８９）。ステップＳ１２７、Ｓ１２９（図１１参照）において、カメラ本体１０側で変更要求があると、変更要求信号をレンズ鏡筒２０側に送信してくる。このステップでは、変更要求を受信したか否かに基づいて判定する。
【０１５７】
ステップＳ１８９における判定の結果、変更要求があった場合には、次に、関連付け情報を受信したか否かを判定する（Ｓ１９１）。ここでは、カメラ本体１０側から、パターンの変更、モードの変更等、関連付けに係る情報を受信したか否かを判定する。
【０１５８】
ステップＳ１９１における判定の結果、関連付け情報を受信した場合には、次に、関連付け情報からタッチパネル機能の変更を行う（Ｓ１９３）。ここでは、受信した関連付け情報に応じて、タッチパネル２９の機能を変更する。例えば、第３パターン６ｃから第４パターン６ｄに変更されると、タッチ検出領域をパターンに応じて変更する。また、パターン変更中にレンズ鏡筒２０を掴んでいる可能性があることから、変更期間中はタッチパネル２９のタッチ操作の検出を無効にする。
【０１５９】
続いて、レンズ内メモリに関連付けを反映させる（Ｓ１９５）。ステップＳ１９３において行った機能変更に応じて、メモリ２７に記憶されている関連付け情報の更新を行う。次回、ステップ１８７において、レンズ内メモリ２７の関連付けを送信する際には、この内容を送信する。
【０１６０】
ステップＳ１９５においてレンズ内メモリに関連付けを反映させると、またはステップＳ１８１、Ｓ１８３、Ｓ１８９、Ｓ１９１における判定の結果、Ｎｏであった場合には、操作部画像通信のフローを終了し、レンズ鏡筒２０のメインフロー（不図示）に戻る。
【０１６１】
次に、レンズ鏡筒２０におけるレンズ操作について、図１４を用いて説明する。レンズ操作のフローに入ると、まず、操作部画像表示を行う（Ｓ２０１）。ここでは、図１０（ｄ）に示すように、レンズ側表示部２８に選択されているパターンに応じた操作部画像を表示する。
【０１６２】
操作部画像を表示すると、次に、表示モードの変更要求があるか否かを判定する（Ｓ２０３）。ステップＳ１２７、Ｓ１２９（図１１参照）において、カメラ本体１０側でパターンの変更要求があると、変更要求信号をレンズ鏡筒２０側に送信してくる。このステップでは、変更要求を受信したか否かに基づいて判定する。
【０１６３】
ステップＳ２０３における判定の結果、表示モード変更要求があった場合には、次に、複数関連付け有りか否かの判定を行う（Ｓ２０５）。この判定の結果、変更要求のあったパターンが複数の関連付けの場合には、関連付け機能の変更を行う（Ｓ２０７）。例えば、第１、第２、第４パターンのいずれか変更する表示モード変更要求の場合には、対応できるが、上述のパターンから第３パターンへの変更は対応できない。
【０１６４】
ステップＳ２０５における判定の結果、複数関連付け有りの場合には、関連付け機能の変更を行う（Ｓ２０７）。ここでは、複数の関連付けを行うパターンに変更した場合には、バー表示や釦表示に機能割り当てを変更する。
【０１６５】
関連付け機能変更を行うと、次に、関連付け情報送信を行う（Ｓ２０９）。ここでは、ステップＳ２０７において行った関連付け機能変更の結果を、通信部２２、１１を通じて、カメラ本体１０側の信号処理及び制御部１に送信する。
【０１６６】
関連付け情報の送信を行うと、次に、レンズ表示更新を行う（Ｓ２１１）。ここでは、ステップＳ２０７において行われた関連付け機能変更に応じて、レンズ側表示部２８における表示を変更する。パターン変更がなされているので、この変更に応じた表示とする。
【０１６７】
レンズ表示の更新を行うと、またはステップＳ２０５における判定の結果、複数関連付けがない場合には、ステップＳ２０３に戻る。
【０１６８】
ステップＳ２０３における判定の結果、表示モード変更要求でなかった場合には、次に、操作部操作有りか否かの判定を行う（Ｓ２１３）。ここでは、タッチパネル２９上でタッチ操作が行われたか否かを判定する。
【０１６９】
ステップＳ２１３における判定の結果、操作があった場合には、次に、パラメータ換算を行う（Ｓ２１５）。ここでは、タッチ操作の位置変化に応じてパラメ―タ換算を行う。例えば、機能としてズームが設定されている場合に、タッチによるスライド操作がなされた場合には、始点と終点の位置からズーミングの駆動方向および駆動量を算出する。また、露出補正が設定されている場合には、スライド操作の始点と終点の位置から露出補正量の算出を行う。なお、パラメータ換算の仕方については、図１５を用いて後述する。
【０１７０】
パラメータ換算を行うと、次に、表示更新通信を行う（Ｓ２１７）。ここでは、カメラ本体１０側の本体側表示部６で表示するために、通信部２２、１１を介して、関連付け情報を送信する。
【０１７１】
表示更新通信を行うと、次に、レンズ表示更新を行う（Ｓ２１９）。ここでは、ステップＳ２１５におけるパラメータ換算に応じて、レンズ側表示部２８における表示を更新する。
【０１７２】
レンズ表示更新を行うと、次に、変更の対象がボディ側か否かを判定する（Ｓ２２１）。本実施形態においては、ズーム、マニュアルフォーカス（ＭＦ）は、レンズ鏡筒２０側で制御を行うが、露出補正およびモード変更は、カメラ本体１０側で行う。このステップでは、タッチパネル２９のタッチ操作による変更の対象がカメラ本体１０側か否かを判定する。
【０１７３】
ステップＳ２２１における判定の結果、対象がボディ側である場合には、パラメータ数値を送信する（Ｓ２２１）。ここでは、Ｓ２１５において算出されたパラメータ数値をカメラ本体１０に送信する。一方、ステップＳ２２１における判定の結果、対象がボディ側でなかった場合には、レンズ制御を行う（Ｓ２２３）。ここでは、ステップＳ２１５で算出されたパラメータ数値に従って、レンズ鏡筒２０内の制御部２１が制御を行う。
【０１７４】
ステップＳ２２１においてパラメータ数値を送信すると、またはＳ２２３においてレンズ制御を行うと、またはステップＳ２１３における判定の結果、操作部操作がなかった場合には、レンズ操作のフローを終了し、レンズ鏡筒２０のメインフロー（不図示）に戻る。
【０１７５】
次に、ステップＳ２１５におけるパラメータ換算について図１５を用いて説明する。図１５の縦の欄には、第１パターン６ａ〜第４パターン４を示す。第１パターンの場合には、図１０（ａ）に示すように、左右に２つの釦１，２のアイコンが表示される。第１パターンの場合には、貼り付けモードとしては、「＊＊」であり、釦１をタッチしていた時間が「釦１のプッシュ時間」の場合には数値としては「−１０」が設定され、釦２をタッチしていた時間が「釦２のプッシュ時間」の場合には数値としては「＋１０」が設定される。また、第３パターンの場合には、貼り付けモードとしては、「＊＊」であり、座標１をタッチした場合には、「−１０」が設定され、座標２をタッチした場合には「＋１０」が設定される。
【０１７６】
次に、レンズ鏡筒２０におけるレンズ通信について、図１６を用いて説明する。連通信のフローに入ると、まず、レンズ状態の判定を行う（Ｓ２３１）。ここでは、タッチ位置検出部１ｃがタッチパネル２９の操作状態を検出する。また、位置検出部２５ａ、２５ｂやリング操作部２３ａ、レンズ操作部２３ｂ等によって、レンズ鏡筒２０内のレンズ位置、絞り口径、リング操作部２３ａの回転状態等、種々のレンズ状態を判定する。
【０１７７】
レンズ状態を判定すると、次に、レンズ制御操作がなされた否かを判定する（Ｓ２３３）。ここでは、タッチパネル２９のタッチ操作によってレンズ制御がなされたかを判定する。例えば、第３パターン６ｂでタッチパネル２９がズームに関連付けられている場合に、タッチパネル２９上をスライド操作がなされた場合にはレンズ制御操作と判定する。ステップＳ２３３における判定の結果、レンズ制御操作であった場合には、レンズ制御を行う（Ｓ２３５）。ここでは、タッチパネル２９のタッチ状態に基づいた制御を行う。
【０１７８】
ステップＳ２３５においてレンズ制御を行うと、またはステップＳ２３３における判定の結果、レンズ制御操作でなかった場合には、次に、通信か否かを判定する（Ｓ２３７）。ステップＳ１０５、Ｓ１１１（図１１参照）において、カメラ本体１０側では通信を行うので、このときの通信要求に対応してレンズ鏡筒２０側でも通信を行う。
【０１７９】
ステップＳ２３７における判定の結果、通信であった場合には、次にレンズ状態通信を行う（Ｓ２３９）。ここでは、カメラ本体１０からの要求に応じて、レンズ鏡筒２０の状態を送信する。レンズ状態通信を行うと、レンズ制御を行う（Ｓ２４１）。ここでは、レンズ通信によってカメラ本体１０側から、レンズ制御に関する指示がなされていた場合に、これに応じた制御を行う。例えば、カメラ本体１０からＡＦ制御の指示がなされた場合には、ＡＦ制御指示に従ってピント合わせ等の制御を行う。
【０１８０】
ステップＳ２４１においてレンズ制御を行うと、またはステップＳ２３７における判定の結果、通信を行わない場合には、レンズ通信のフローを終了し、元のメインフローに戻る。
【０１８１】
このように、レンズ通信では、レンズ状態に応じた制御を行い、またカメラ本体１０から制御信号を受信した場合には、制御信号に応じた制御を行う。
【０１８２】
次に、カメラ本体１０とレンズ鏡筒２０の間における信号のやり取りについて図１７を用いて説明する。図１７（ａ）は、タッチパネル２９に機能を関連付ける際の信号のやり取りを示す。まず、時刻Ｔ１において、カメラ本体１０でレンズ鏡筒２０の装着を行うか（図１１のＳ１０１、図１３のＳ１８１）、または機能変更の要求（図１１のＳ１２９参照）を行うと、時刻Ｔ２において、レンズ鏡筒２０は操作部画像（レンズ画像）の送信を行う（図１３のＳ１８５参照）。カメラ本体１０は操作部画像を受信すると、時刻Ｔ３において操作部画像の表示を行う（図１１のＳ１０５参照）。
【０１８３】
また、図１０を用いて説明したようにユーザが関連付け操作を行うと、まず、時刻Ｔ４においてタッチの始点にあたるタッチ信号１をレンズ鏡筒２０からカメラ本体１０に送信し、時刻Ｔ５においてタッチの終点にあたるタッチ信号２をレンズ鏡筒２０からカメラ本体１０に送信する。ここで、タッチ信号１、２をカメラ本体１０に送信しているのは、レンズ鏡筒２０側からカメラ本体１０側に関連付け操作がなされていることを通知するためである。これによって、カメラ本体１０側の信号処理及び制御部１に操作中信号を送信したことになり、レンズ鏡筒２０およびカメラ本体１０における不測の制御等を防止することが可能となる。操作中の誤動作を防止するためにも、重要な信号となる。時刻Ｔ６においてタッチパネル２９と機能の関連付けがなされ、関連付け情報がレンズ鏡筒２０に送信される（図１１のＳ１０７、図１２のＳ１６９）。
【０１８４】
なお、本実施形態においては、スライド判定はカメラ本体１０側で行っているが、レンズ鏡筒２０側でスライド判定を行うようにしてもよい。この場合、スライドの始点と終点の情報が必要なことからタッチ開始された位置とタッチが終了した位置の情報をカメラ本体１０側に送信することを省略することができる。レンズ鏡筒２０側でスライド判定を行った場合には、その結果をカメラ本体１０に送ればよい。
【０１８５】
図１７（ｂ）は、レンズ操作時における信号のやり取りを示す。時刻Ｔ１１において、カメラ本体１０は、レンズ鏡筒２０に対して、通信要求を行う（図１１のＳ１１７参照）。時刻Ｔ１２において、レンズ鏡筒２０は、通信要求に対して、モードとパラメータ数値等のやり取りを含むレンズ状態通信を行い（図１１のＳ１１７参照）、時刻Ｔ１３において、カメラ本体１０は対応機能ある場合は切換を行う（図１１のＳ１２１参照）。同様の動作を、時刻Ｔ１４〜Ｔ１６、時刻Ｔ１７〜Ｔ１９において繰り返す。なお、図１７
（ａ）（ｂ）においては、カメラ本体１０側から通信を開始しているが（Ｔ１、Ｔ１１参照）、これに限らず、レンズ鏡筒２０側から通信を開始するようにしても勿論かまわない。
【０１８６】
次に、図１８に示すタイミングチャートを用いて、ステップＳ１１７（図１１参照）等において行われるカメラ本体１０とレンズ鏡筒２０の間で行われる同期通信の詳細について説明する。図１８において、横軸は時間の流れを表し、縦軸にそれぞれの処理内容やタイミングを示す。カメラ本体処理において、処理Ｂ１では、前フレームで取得した画像データによりライブビュー画像の表示や、ＡＦ評価値の算出を行う。また処理Ｂ２では、レンズ状態通信により取得したレンズ状態データに基づいて、ＡＦ演算や各種設定変更等を行う。
【０１８７】
垂直同期信号は、各フレームに対応して出力される信号である。撮像・読出しでは、撮像素子２において被写体像を撮像し、この撮像した画像データの読み出しを行う。なお、撮像・読出しが、図１８において、菱形形状をしているのは、本実施形態においては、ライブビュー画像の取得時はローリングシャッタを採用しており、画素ラインごとに撮像と読出しを順次行うためである。
【０１８８】
レンズ通信における通信ＢＬでは、カメラ本体１０からレンズ鏡筒２０にレンズ状態データ要求コマンドを送信し、このコマンドはレンズ鏡筒２０のレンズ状態を示すデータをカメラ本体１０に送信することを要求する。また通信ＬＢでは、レンズ状態データ要求コマンドに応じて、レンズ鏡筒２０がカメラ本体１０にレンズ状態を示すデータを送信する。
【０１８９】
レンズ通信同期信号は、カメラ本体１０において垂直同期信号に応答して生成され、このレンズ通信同期信号はカメラ本体１０の通信部１１の同期信号端子よりレンズ鏡筒２０に出力される。レンズ位置取得信号は、所定のタイミング、例えば図１８に示す例では、撮像素子２における電荷蓄積時間の略中央時点を経過した時点で状態が変化する。
【０１９０】
また、レンズ鏡筒２０内における処理Ｌ１は、レンズ位置取得信号の状態変化タイミングでの撮影レンズ２６内の焦点調節レンズの位置情報の取得、およびレンズ通信同期信号の受信タイミングでのリング操作部２３ａの操作状態の検出を行う処理である。また処理Ｌ２は、カメラ本体１０から受信したレンズ状態データ要求コマンドに応じて、焦点調節レンズの位置情報や、リング操作部２３ａの操作状態等のレンズ状態データを送信する処理である。
【０１９１】
図１８のタイミングチャートに示すように、本実施形態における同期通信では、垂直同期信号に同期してカメラ本体１０内において処理Ｂ１を実行し、また、垂直同期信号に同期してレンズ通信同期信号をレンズ鏡筒２０に送信する。
【０１９２】
カメラ本体１０内において処理Ｂ１を処理すると、レンズ鏡筒２０に対して通信ＢＬによって、レンズ状態データ要求コマンドを送信する。レンズ鏡筒２０はレンズ状態データ要求コマンドを受信すると、レンズ状態を検出し、通信ＬＢによってレンズ状態データを送信する。カメラ本体１０はレンズ状態データを受信すると、処理Ｂ２を実行する。
【０１９３】
また、レンズ鏡筒２０内において、位置検出部２５ａ、２５ｂがレンズ位置を取得する処理Ｌ１はレンズ位置取得信号に同期して実行する。このレンズ位置取得信号は所定のタイミング、図１８の例においては、撮像素子２の画面中央による電荷蓄積時間の１／２が経過した時点で発生する。レンズ鏡筒２０は、レンズ位置取得信号の状態変化のタイミングで撮影レンズの位置を検出する位置検出部２５ａ、２５ｂによって焦点調節レンズの位置情報を取得する。これらの同期通信は、全体としては、レンズ通信同期信号に同期して実行される。
【０１９４】
以上説明したように、本発明の各実施形態においては、本体側表示部６に選択可能な複数の表示パターンを表示する本体側表示部６と、表示パターンに対するタッチ状態を検出するタッチパネル２９を設け、表示パターンとタッチパネル２９による検出結果に基づいて、カメラ側にパラメータ変更情報を出力するようにしている。また、機能アイコン６ｆと選択パターン６ｅが表示部に表示された際に、機能アイコン６ｆと選択パターン６ｅがタッチ操作によって結びつけられたことを検出した場合に、タッチパネル２９と機能アイコン６ｆを関連付けるようにしている。このため、鏡筒に設けられたタッチパネルの機能を、任意の機能の中からユーザが任意に選択しカスタマイズできる。
【０１９５】
また、本発明の各実施形態においては、タッチパネル２９と関連付けられた機能が、カメラ本体側の機能である場合に、設定された機能に応じてパラメータの数値を算出し（図５のＳ５３）、算出されたパラメータの数値をカメラ本体に送信するようにしている。このため、レンズ鏡筒からカメラ本体を制御することが可能となる。
【０１９６】
また、本発明の実施形態においては、タッチパネル２９を有効利用してレンズ操作の自由度を上げてユーザの得意とする操作方法を選べる上に、その操作方法を直感的に判断できる表示を表示することができる。この表示パターンは、複数のパターンの中からユーザの好みに応じて選択できる。本発明の実施形態においては、表示パターンの中から選択するだけであるが、これに限らず、釦やバーの位置や大きさをユーザが変えられるような応用も可能であり、さらに、パターンそのものをユーザがカスタマイズするようにしてもよい。
【０１９７】
また、本発明の実施形態においては、ユーザ操作によるカメラ制御を、カメラ本体１０とレンズ鏡筒２０の連携にて行わなければならないにもかかわらず、一つの表示部（レンズ側表示部２８または本体側表示部６）上で集中して行うことが可能となる。また、レンズ単独で行える制御も、カメラ側から撮影に集中しながら切り換えることができる。特に、フォーカスリングやズームリング等のレンズ側操作部は、手で保持したり操作しやすい位置にあって、カメラを構えた時に見えない位置にある場合が多く、一方、カメラ側表示部は、撮影時に視認しやすい位置にある事が多く、両方の画面を見ながら設定操作することは困難であったが、本発明の実施形態では、そのような問題を回避できる。表示パターン（例えば、図３（ｂ）参照）をカメラ本体（またはレンズ鏡筒）側から指定することによって、レンズ鏡筒（またはカメラ本体）発売時に想定していなかった操作に対応させることもできる。
【０１９８】
なお、本発明の各実施形態において、レンズ鏡筒２０にタッチパネル２９と制御部２１を配置し、カメラ本体１０に本体側表示部６と信号処理及び制御部１を配置し、両者でそれぞれ処理を行っていた。上記処理の配分は、大半をレンズ鏡筒２０の制御部２１で実行してもよく、逆に大半をカメラ本体１０の信号処理及び制御部１で実行するようにしてもよい。両制御部の能力、信号処理能力、システムの特性等を勘案して適宜、処理の配分を決めれば良い。
【０１９９】
また、本発明の各実施形態においては、レンズ鏡筒２０にレンズ側表示部２８を設けていた。レンズ鏡筒２０に表示部を設けることにより、レンズ鏡筒側での設定内容を確認が容易になるが、カメラ本体１０側でも確認することができるため、省略しても構わない。
【０２００】
また、本発明の各実施形態においては、第１パターン６ａ〜第４パターン６ｄの選択をカメラ本体１０側で行うとしていたが、勿論、レンズ側表示部２８を見ながら、レンズ鏡筒側で設定するようにしても勿論かまわない。
【０２０１】
また、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話、スマートフォーンや携帯情報端末（ＰＤＡ：Personal Digital Assist）、ゲーム機器等に内蔵されるカメラでも構わない。
【０２０２】
また、特許請求の範囲、明細書、および図面中の動作フローに関して、便宜上「まず」、「次に」等の順番を表現する言葉を用いて説明したとしても、この順で実施することが必須であることを意味するものではない。
【０２０３】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０２０４】
１・・・信号処理及び制御部、１ａ・・・レンズ操作関連付け部、１ｂ・・・レンズ操作判定部、１ｃ・・・タッチ位置判定部、１ｄ・・・表示制御部、２・・・撮像部、３・・・顔検出部、４・・・記録部、５・・・通信部、６・・・本体側表示部、６ａ〜６ｄ・・・第１〜第４パターン、６ｅ・・・選択パターン、６ｆ・・・機能アイコン、６ｇ・・・終了アイコン、６ｈ・・・選択機能、６ｉ・・・バー表示、７・・・タッチパネル、８・・・操作判定部、９・・・時計部、１０・・・カメラ本体、１１・・・通信部、２０・・・レンズ鏡筒、２１・・・制御部、２２・・・通信部、２３ａ・・・リング操作部、２３ｂ・・・レンズ操作部、２４・・・駆動部、２４ａ・・・駆動部、２４ｂ・・・駆動部、２５ａ・・・位置検出部、２５ｂ・・・位置検出部、２６・・・撮影レンズ、２６ａ・・・ズーム制御機構、２６ｂ・・・ピント制御機構、２７・・・メモリ、２８・・・レンズ側表示部、２８ａ・・・モード変更アイコン、２８ｂ・・・選択機能、２８ｃ・・・バー表示、２９・・・タッチパネル、３０・・・接眼ファインダ、３１・・・接眼表示部、３２・・・通信部
【図１】
0005846921.tif 000002
【図２】
0005846921.tif 000003
【図３】
0005846921.tif 000004
【図４】
0005846921.tif 000005
【図５】
0005846921.tif 000006
【図６】
0005846921.tif 000007
【図７】
0005846921.tif 000008
【図８】
0005846921.tif 000009
【図９】
0005846921.tif 000010
【図１０】
0005846921.tif 000011
【図１１】
0005846921.tif 000012
【図１２】
0005846921.tif 000013
【図１３】
0005846921.tif 000014
【図１４】
0005846921.tif 000015
【図１５】
0005846921.tif 000016
【図１６】
0005846921.tif 000017
【図１７】
0005846921.tif 000018
【図１８】
0005846921.tif 000019